(57)【要約】【課題】  設備の不十分な河川についても、その状況変化に対応して、警報通知、避難誘導の周知を迅速に行える放流警報システムを提供する。【解決手段】  第１の河川に関するイベント起動信号を出力する第１の観測装置と、第１の観測装置からの第１の河川に関するイベント起動信号を受信し、第１の河川に関する制御信号を出力する監視局と、監視局からの第１の河川に関する制御信号を受信し第１のスピーカを通じ、第１の河川の周辺地域への警報通知を行う放流警報装置と、第２の河川に関するイベント起動信号を出力する第２の観測装置とを備え、放流警報装置は、第２の観測装置からの第２の河川に関するイベント起動信号を受信し、第２のスピーカを通じ、第２の河川の周辺地域への警報通知を行う。【選択図】  図１
2013061890.tif 000002
【特許請求の範囲】
【請求項１】
河川の状況変化に応じて警報通知を行う放流警報システムにおいて、
第１の河川の水位、又は、前記第１の河川の周辺の雨量の観測値に異常が発生した場合
、前記第１の河川に関するイベント起動信号を出力する第１の観測装置と、
前記第１の観測装置からの前記第１の河川に関するイベント起動信号を受信し、前記第
１の河川に関する制御信号を出力する監視局と、
前記監視局からの前記第１の河川に関する制御信号を受信し、第１のスピーカを通じ、
前記第１の河川の周辺地域への警報通知を行う放流警報装置と、
第２の河川の水位、又は、前記第２の河川の周辺の雨量の観測値に異常が発生した場合
、前記第２の河川に関するイベント起動信号を出力する第２の観測装置とを備え、
前記放流警報装置は、前記第２の観測装置からの前記第２の河川に関するイベント起動
信号を受信し、第２のスピーカを通じ、前記第２の河川の周辺地域への警報通知を行う
ことを特徴とする放流警報システム。
【請求項２】
前記監視局は、前記第２の河川の警報通知の許可信号、及び、前記第２の警報通知の許可
解除信号を出力し、
前記放流警報装置は、
前記第１の河川の警報通知を行い、前記第２の河川の警報通知を行わない第１の動作モ
ードと、前記第１の河川の警報通知と前記第２の河川の警報通知の両方を行う第２の動作
モードのどちらか一方の動作モードで動作する警報制御部と、
前記監視局から前記第２の河川の警報通知の許可信号を受信した場合、前記警報制御部
を前記第２の動作モードに切替え、前記監視局から前記第２の警報通知の許可解除信号を
受信した場合、前記警報制御部を前記第１の動作モードに切替える許可／不許可切替部と
を具備することを特徴とする請求項１に記載の放流警報システム。
【請求項３】
前記放流警報装置は、前記第２の河川の警報通知のための音声情報を発生する音声発生装
置を備え、前記音声発生装置から発生する音声情報を前記第２のスピーカから放送するこ
とで前記第２の河川の周辺地域への警報通知を行うことを特徴とする請求項１に記載の放
流警報システム。
【発明の詳細な説明】
【技術分野】
【０００１】
本発明の実施形態は、放流警報システムに関する。
【背景技術】
【０００２】
現在、河川水位の上昇等に伴い、河川周辺の住民への避難誘導に関する周知を行うシス
テムとして、ダム管理に利用されている放流警報システムがある。これは、国電通仕第２
７号の仕様に基づき仕様化され全国的に整備されているシステムである。
【０００３】
従来の放流警報システムは、特定の河川（以下、特定河川と言う）を対象として、その
特定河川周辺に対して警報を通知し、避難誘導の周知を行う目的で整備されている。例え
ば、従来の放流警報システムは、図５のように、特定河川の「河川Ａ」を対象として整備
されている。図６に、従来の放流警報システムの放流警報装置の構成を示す。
【先行技術文献】
【特許文献】
【０００４】
【特許文献１】特開平１１−３４３６１６号公報
【発明の概要】
【発明が解決しようとする課題】
【０００５】
ところで、近年は局地豪雨による河川水位の急激な上昇から人的被害が多くなってきて
おり、特に、「特定河川」ではない小さな河川で顕著になってきている。
【０００６】
しかし、放流警報システムは、このような小さな河川には整備されていない。このよう
な小さな河川が、「特定河川」の付近に存在していても、「特定河川」に整備された放流
警報システムを、この小さな河川にまで範囲を広げて利用することは考慮されていない。
例えば、図５の「特定河川」の「河川Ａ」に整備された放流警報システムは、「河川Ａ」
の付近にある小さな河川である「河川Ｂ」にまで範囲を広げて利用することは考慮されて
いない。
【０００７】
このように、従来では、「特定河川」以外の河川（以下、「他の河川」と言う）につい
て水位上昇等の状況変化があっても、警報通知、避難誘導の周知を迅速に行うための設備
がなかった。従来では、「他の河川」の状況変化に応じた場合、警報通知、避難誘導の周
知に操作員による人的な介在が必要であり、時間的な遅れが課題となっていた。
【０００８】
本発明は、上述の課題を解決するために提案されたものであって、設備の不十分な河川
についても、その状況変化に対応して、警報通知、避難誘導の周知を迅速に行える放流警
報システムを提供することを目的とする。
【課題を解決するための手段】
【０００９】
上記の目的を達成するために、本発明は、河川の状況変化に応じて警報通知を行う放流
警報システムにおいて、第１の河川の水位、又は、前記第１の河川の周辺の雨量の観測値
に異常が発生した場合、前記第１の河川に関するイベント起動信号を出力する第１の観測
装置と、前記第１の観測装置からの前記第１の河川に関するイベント起動信号を受信し、
前記第１の河川に関する制御信号を出力する監視局と、前記監視局からの前記第１の河川
に関する制御信号を受信し、第１のスピーカを通じ、前記第１の河川の周辺地域への警報
通知を行う放流警報装置と、第２の河川の水位、又は、前記第２の河川の周辺の雨量の観
測値に異常が発生した場合、前記第２の河川に関するイベント起動信号を出力する第２の
観測装置とを備え、前記放流警報装置は、前記第２の観測装置からの前記第２の河川に関
するイベント起動信号を受信し、第２のスピーカを通じ、前記第２の河川の周辺地域への
警報通知を行うことを特徴とする。
【００１０】
また、本発明は、前記監視局は、前記第２の河川の警報通知の許可信号、及び、前記第
２の警報通知の許可解除信号を出力し、前記放流警報装置は、前記第１の河川の警報通知
を行い、前記第２の河川の警報通知を行わない第１の動作モードと、前記第１の河川の警
報通知と前記第２の河川の警報通知の両方を行う第２の動作モードのどちらか一方の動作
モードで動作する警報制御部と、前記監視局から前記第２の河川の警報通知の許可信号を
受信した場合、前記警報制御部を前記第２の動作モードに切替え、前記監視局から前記第
２の警報通知の許可解除信号を受信した場合、前記警報制御部を前記第１の動作モードに
切替える許可／不許可切替部とを具備することを特徴とする。
【００１１】
また、本発明は、前記放流警報装置は、前記第２の河川の警報通知のための音声情報を
発生する音声発生装置を備え、前記音声発生装置から発生する音声情報を前記第２のスピ
ーカから放送することで前記第２の河川の周辺地域への警報通知を行うことを特徴とする
。
【図面の簡単な説明】
【００１２】
【図１】本実施形態の放流警報システムの装置配置図。
【図２】本実施形態の放流警報装置の構成を示すブロック図。
【図３】本実施形態の放流警報システムの動作モード切替動作を示すフローチャート。
【図４】本実施形態の警報システムの警報通知動作を示すフローチャート。
【図５】従来の放流警報システムの装置配置図。
【図６】従来の放流警報装置の構成を示すブロック図。
【発明を実施するための形態】
【００１３】
以下、実施形態の放流警報システムについて図面を参照して説明する。図１は、本実施
形態の放流警報システムの装置配置図である。放流警報システム１００は、監視局１、河
川Ａの水位や雨量等の観測を行う観測装置２、放流警報装置３、河川Ｂの水位や雨量等の
観測を行う観測装置４の各設備で構成される。
【００１４】
図２は、放流警報装置３の構成を示すブロック図である。放流警報装置３は、無線装置
３０１、変復調部３０２、伝送制御部３０３、基本制御部３０４、インピーダンス判定部
３０５、警報制御部３０６、音声増幅器３０７ａ、３０７ｂ、収音返送部３０８、収音マ
イク３０９、収音レベル判定部３１０、観測イベント受信部３１１、許可／不許可切替部
３１２、音声発生装置３１３、河川Ａの周辺地域に設置された河川Ａ用のスピーカ５、河
川Ｂの周辺地域に設置された河川Ｂ用のスピーカ７を備える。
【００１５】
図２の本実施形態の放流警報装置３は、図６の従来の放流警報装置に対して、音声増幅
器３０７ｂ、観測イベント受信部３１１、許可／不許可切替部３１２、音声発生装置３１
３、河川Ｂ用のスピーカ７を更に備えている。観測イベント受信部３１１は、河川Ｂ用の
観測装置４から観測イベントを受信するためのものである。許可／不許可切替部３１２は
、警報制御部３０６の動作モードを、河川Ｂの周辺地域への警報通知を不許可とする第１
の動作モードと、河川Ｂの周辺地域への警報通知を許可する第２の動作モードのうち、ど
ちらか一方に切替えるものである。
【００１６】
（動作モード切替動作）
次に、本実施形態の警報システム１００の動作を説明する。先ず、警報システム１００
の動作モード切替動作を説明する。図３は、本実施形態の警報システム１００の動作モー
ド切替動作を示するフローチャートである。
【００１７】
警報システム１００は、通常、河川Ａの周辺地域のみを対象に警報通知を行っている。
即ち、放流警報装置３では、通常、河川Ｂの周辺地域への警報通知を不許可とする第１の
動作モードが設定されている。すなわち、通常、許可／不許可切替部３１２は、警報制御
部３０６を第１の動作モードに設定している。
【００１８】
河川Ｂ用のスピーカ７を有する放流警報装置３では、監視局１から、河川Ｂの警報通知
の許可の指令が出されたか否かを判断する（ステップＳ１）。ここで、河川Ｂの管理者か
ら監視局１に、河川Ｂの周辺地域への河川Ｂに関する警報通知を実施するよう要請が行わ
れたとする。要請が行われると、操作員により、監視局１から、河川Ｂ用のスピーカ７を
備えている各放流警報装置３へ、単信無線回線６を介して、「河川Ｂの警報通知の許可信
号」が送出される。「河川Ｂの警報通知の許可信号」には、複数の放流警報装置３のうち
対象とするものを示す識別ＩＤ情報を含んでいる。
【００１９】
河川Ｂ用のスピーカ７を有する放流警報装置３では、「河川Ｂの警報通知の許可信号」
が受信されると、河川Ｂの警報通知が指示されたと判断する（ステップＳ１のＹｅｓ）。
即ち、無線装置３０１が、「河川Ｂの警報通知の許可信号」を受信する。受信された「河
川Ｂの警報通知の許可信号」は、変復調部３０２、伝送制御部３０３を介し、基本制御部
３０４に入力される。基本制御部３０４は、入力された信号が「河川Ｂの警報通知の許可
信号」であると判断すると共に、その中に含まれる識別ＩＤ情報から自身の放流警報装置
３が指定されていると判断すると、河川Ｂの警報通知を許可すべく、第２の動作モードへ
の切替指示を、許可／不許可切替部３１２に出力する。
【００２０】
許可／不許可切替部３１２は、第２の動作モードへの切替指示が入力されると、警報制
御部３０６を、河川Ｂの周辺地域への警報通知を不許可とする第１の動作モードから、河
川Ｂの周辺地域への警報通知を許可する第２の動作モードに切替える（ステップＳ２）。
その後、河川Ｂ用のスピーカ７を有する放流警報装置３では、監視局１から、河川Ｂの
警報通知の許可解除の指示が出されたか否かを判断する（ステップＳ３）。ここで、河川
Ｂの管理者から監視局１に、河川Ｂの周辺地域への河川Ｂに関する警報通知の解除が要請
されたとする。要請が行われると、操作員により、監視局１から、河川Ｂ用のスピーカ７
を備えている各放流警報装置３へ、単信無線回線６を介して、「河川Ｂの警報通知の許可
解除信号」が送出される。「河川Ｂの警報通知の許可解除信号」には、複数の放流警報装
置３のうち当該情報の送信対象とするものを示す識別ＩＤ情報を含んでいる。
【００２１】
河川Ｂ用のスピーカ７を有する放流警報装置３では、「河川Ｂの警報通知の許可解除信
号」が受信されると、河川Ｂの警報通知の解除の指令が出されたと判断する（ステップＳ
３のＹｅｓ）。即ち、無線装置３０１が、「河川Ｂの警報通知の許可解除信号」を受信す
る。受信された「河川Ｂの警報通知の許可解除信号」は、変復調部３０２、伝送制御部３
０３を介し、基本制御部３０４に入力される。基本制御部３０４は、入力された信号が「
河川Ｂの警報通知の許可解除信号」であると判断すると共に、その中に含まれる識別ＩＤ
情報から自身の放流警報装置３が指定されていると判断すると、河川Ｂの警報通知の許可
を解除すべく、第１の動作モードへの切替指示を、許可／不許可切替部３１２に出力する
。
【００２２】
許可／不許可切替部３１２は、第１の動作モードへの切替指示が入力されると、警報制
御部３０６を、河川Ｂの周辺地域への警報通知を許可する第２の動作モードから、河川Ｂ
の周辺地域への警報通知を不許可とする第１の動作モードに切替える（ステップＳ４）。
【００２３】
（警報通知動作）
次に、警報システム１００の警報通知動作を説明する。図４は、本実施形態の警報シス
テム１００の警報通知動作を示すフローチャートである。
【００２４】
放流警報装置３は、監視局１から、河川Ａに関する警報通知が指示されたか否かを判断
する（ステップＳ１１）。
【００２５】
ここで、河川Ａの水位、又は、河川Ａ周辺の雨量の観測値に異常が発生した場合、観測
装置２から監視局１に、単信無線回線６を介して、「河川Ａに関するイベント起動信号」
が送出される。観測装置２から「河川Ａに関するイベント起動信号」が受信されると、監
視局１から、放流警報装置３に対して、単信無線回線６を介して、河川Ａに関する警報通
知の実施を指示するための「河川Ａに関する制御信号」が送出される。放流警報装置３で
は、「河川Ａに関する制御信号」が受信されると、河川Ａに関する警報通知が指示された
と判断する（ステップＳ１１のＹｅｓ）。
【００２６】
即ち、監視局１から送出された「河川Ａに関する制御信号」は、放流警報装置３の無線
装置３０１が受信し、変復調部３０２、伝送制御部３０３を介して、基本制御部３０４に
入力される。基本制御部３０４は、入力された信号が「河川Ａに関する制御信号」である
と判断すると共に、その中に含まれる識別ＩＤ情報から自身の放流警報装置３が指定され
ていると判断すると、河川Ａに関する警報通知を実施すべく、「河川Ａに関する制御信号
」を警報制御部３０６に出力する。
【００２７】
警報制御部３０６は、「河川Ａに関する制御信号」が入力されると、音声増幅器３０７
ａと、スピーカ５を起動して、河川Ａに関する警報通知を行う（ステップＳ１２）。監視
局１から送出される「河川Ａに関する制御信号」には、警報通知情報として、河川Ａの周
辺地域の住民への注意を喚起する文言や避難誘導を行うための文言等のアナウンス文情報
を含んでいる。警報制御部３０６は、「河川Ａに関する制御信号」に含まれるアナウンス
文情報に基づき、警報通知のための音声情報を生成し、生成した音声情報を音声増幅器３
０７ａによって増幅させ、そして、河川Ａの周辺地域に設置されたスピーカ５に、音声増
幅器３０７ａにて増幅された音声情報を放送させる。これにより、河川Ａの周辺地域の住
民への警報通知を行う。
【００２８】
また、放流警報装置３は、自身の動作モードが、河川Ｂの周辺地域への警報通知を許可
する第２の動作モードであるか否かを判断する（ステップＳ１３）。即ち、基本制御部３
０４が、警報制御部３０６の動作モードが第２の動作モードであるか否かを判断する。警
報制御部３０６が第２の動作モードである場合（ステップＳ１３のＹｅｓ）、次に、放流
警報装置３は、河川Ｂに関する警報通知が指示されたか否かを判断する（ステップＳ１４
）。
【００２９】
ここで、河川Ｂの水位、又は、河川Ｂ周辺の雨量の観測値に異常が発生した場合、観測
装置４から各放流警報装置３へ、単信無線回線６を介して、「河川Ｂに関するイベント起
動信号」が送出される。「河川Ｂに関するイベント起動信号」には、複数の放流警報装置
３のうち当該信号の送信対象を示す識別ＩＤ情報を含んでいる。放流警報装置３では、「
河川Ｂに関するイベント起動信号」が受信されると、河川Ａに関する警報通知が指示され
たと判断する（ステップＳ１４のＹｅｓ）。即ち、観測装置４から送出された「河川Ｂに
関するイベント起動信号」は、放流警報装置３の無線装置３０１が受信し、変復調部３０
２、伝送制御部３０３を介して、基本制御部３０４に入力される。基本制御部３０４は、
入力された信号が「河川Ｂに関するイベント起動信号」であると判断すると共に、その中
に含まれる識別ＩＤ情報から自身の放流警報装置３が指定されていると判断すると、河川
Ｂに関する警報通知が指示されたと判断し、河川Ｂに関する警報通知を実施すべく、「河
川Ｂに関するイベント起動信号」を観測イベント受信部３１１に出力する。
【００３０】
基本制御部３０４から「河川Ｂに関するイベント起動信号」が入力されると、観測イベ
ント受信部３１１は、「河川Ｂに関するイベント起動信号」に基づき警報制御部３０６を
制御し、警報制御部３０６を介して、音声発生装置３１３、音声増幅器３０７ｂ、スピー
カ７を起動して、河川Ｂに関する警報通知を実施する（ステップＳ１５）。観測装置４か
ら送出される「河川Ｂに関するイベント起動信号」には、河川Ｂの周辺地域の住民へ注意
を喚起する文言や避難誘導を行うための文言等のアナウンス文情報は含まれていない。こ
のため、音声発生装置３１３に、河川Ｂに関する警報通知の情報として、河川Ｂの周辺地
域の住民へ注意を喚起する文言や避難誘導を行うための文言等のアナウンス文の音声情報
を予め記憶している。観測イベント受信部３１１は、「河川Ｂに関するイベント起動信号
」から警報通知すべき内容を判別し、その判別結果である「警報通知内容情報」を警報制
御部３０６に出力する。警報制御部３０６は、入力された「警報通知内容情報」に応じた
内容の音声情報を音声発生装置３１３から出力させ、音声増幅器３０７ｂによって音声発
生装置３１３から出力した音声情報を増幅させ、そして、河川Ｂの周辺地域に設置された
スピーカ７に、音声増幅器３０７ｂにて増幅された音声情報を放送させる。これにより、
河川Ｂの周辺地域の住民への警報通知を行う。
【００３１】
以上説明したように本実施形態の放流警報システムでは、河川Ｂの水位、又は、河川Ｂ
周辺の雨量の観測値に異常が発生した場合、河川Ｂの水位や雨量等の観測を行う観測装置
４から放流警報装置３へ、単信無線回線６を介して「河川Ｂに関するイベント起動信号」
を送出し、放流警報装置３にて、「河川Ｂに関するイベント起動信号」の受信に応じ、河
川Ｂの周辺地域に設置された河川Ｂ用のスピーカ７から河川Ｂの周辺地域の住民への警報
通知を行うようにした。これにより、設備の不十分な河川Ｂについても、その状況変化に
対応して、河川Ｂの周辺地域への警報通知、避難誘導の周知を迅速に行うことを可能とし
た。
【００３２】
本発明の１つの実施形態を説明したが、この実施形態は、例として提示したものであり
、発明の範囲を限定することは意図していない。この実施形態は、その他の様々な形態で
実施されることが可能であり、発明の要旨を逸脱しない範囲で、種々の省略、置き換え、
変更を行うことができる。これら実施形態やその変形は、発明の範囲や要旨に含まれると
同様に、特許請求の範囲に記載された発明とその均等の範囲に含まれるものである。
【符号の説明】
【００３３】
１…監視局、２…観測装置、３…放流警報装置、４…観測装置、５…スピーカ、６…単
信無線回線、７…スピーカ、３０…放流警報装置、１００…放流警報システム、２００…
放流警報システム、３０１…無線装置、３０２…変復調部、３０３…伝送制御部、３０４
…基本制御部、３０５…インピーダンス判定部、３０６…警報制御部、３０７ａ…音声増
幅部、３０７ｂ…音声増幅部、３０８…集音返送部、３０９…週音マイク、３１０…集音
レベル判定部、３１１…観測イベント受信部、３１２…許可/不許可切替部。
【図１】
2013061890.tif 000003
【図２】
2013061890.tif 000004
【図３】
2013061890.tif 000005
【図４】
2013061890.tif 000006
【図５】
2013061890.tif 000007
【図６】
2013061890.tif 000008